(57)【要約】  ターンテーブルを組み立てる玩具組立要素を備える玩具組立要素であって、玩具組立要素は、回転シャフトが提供される第１の種類１と、少なくとも１つの第２の種類の玩具組立要素５及び少なくとも１つの第３の種類の玩具組立要素６とを備え、第２の種類の玩具組立要素５及び第３の種類の玩具組立要素６のそれぞれは、第１の種類と相互接続して、ターンテーブルを形成することができ、玩具組立要素は、第１の種類の玩具組立要素及び第２の種類の玩具組立要素が相互接続される場合、第１の種類の玩具組立要素及び第３の種類の玩具組立要素が相互接続される場合に達成される結合力よりも高い結合力が達成されるように構成される。【選択図】図１
2013544556.tif 000002
【特許請求の範囲】
【請求項１】
回転軸に沿って配置された回転シャフトが配置された少なくとも１つの第１の種類の組立要素を備える玩具組立要素であって、前記玩具組立セットは、回転ブシュが設けられた少なくとも１つの第２の種類の組立要素を備え、前記回転ブシュは、前記２つの組立要素が前記回転軸の回りに互いに対して回転できるように、前記第１の組立要素の前記回転シャフトを収納して、前記回転シャフトと相互接続するように構成され、前記回転シャフト及び前記回転ブシュのそれぞれにおいて、相補的結合手段が、スナップ接続を形成し、該相補的結合手段が前記回転軸に沿った所与の力の影響により作動されずには、前記回転軸に沿って互いと相互接続できず、又は互いから分離できないように、前記回転シャフトと前記回転ブシュとを相互接続するように構成される、玩具組立要素において、前記玩具組立セットが少なくとも１つの第３の種類の組立要素を備え、その組立要素が回転シャフト又は回転ブシュを備え、前記回転シャフト又は前記回転ブシュが、スナップ接続を形成して、前記第３の種類の組立要素を前記第２の種類の組立要素又は前記第１の種類の組立要素の前記回転ブシュ又は前記回転シャフトにそれぞれ相互接続する相補的結合手段をそれぞれ有し、前記第３の種類の組立要素の前記相補的結合手段が、前記第３の種類の組立要素を前記第１の種類の組立要素又は前記第２の種類の組立要素のそれぞれに取り付けるために、前記第１の種類の組立要素を前記第２の種類の組立要素に相互接続するために必要な力よりも小さな力を必要とするように構成されることを特徴とする、玩具組立要素。
【請求項２】
請求項１に記載の玩具組立要素であって、前記玩具組立セットの前記第３の種類の組立要素と前記第１の組立要素又は前記第２の組立要素との間の前記スナップ接続を相互接続するために必要な力が、前記第１の種類の組立要素と前記第２の種類の組立要素との間で前記スナップ接続を相互接続するために必要な力の９０％未満、好ましくは８０％未満であることを特徴とする、玩具組立要素。
【請求項３】
請求項１に記載の玩具組立セットであって、前記第１の種類の玩具組立要素及び前記第２の種類の玩具組立要素の前記相補的結合手段が、前記第１の種類の玩具組立要素の前記回転シャフトの外側に、前記回転シャフトの全周にわたって延在する溝を備え、１つ又は複数のリブが、前記２つの組立要素が前記スナップ接続により相互接続された場合、そのリブのそれぞれが前記溝に係合するように前記回転ブシュの内側に配置されることを特徴とする、玩具組立セット。
【請求項４】
請求項３に記載の玩具組立セットであって、前記第３の種類の玩具組立要素の前記相補的結合手段が、前記第２の種類の玩具組立要素の前記回転ブシュに本質的に対応する回転ブシュを備え、前記第３の種類の玩具組立要素の前記相補的結合手段が、個々の各リブが前記第２の種類の玩具組立要素の個々の各リブよりも小さな高さ又は幅を有するように、前記回転ブシュの前記内側に配置される少なくとも１つのリブも備えることを特徴とする、玩具組立セット。
【請求項５】
請求項４に記載の玩具組立セットであって、前記第２の玩具組立要素及び前記第３の玩具組立要素が、同数の１つよりも多いリブを備えること、及び前記第３の玩具組立要素の２つの隣り合ったリブの間隔が、前記第２の玩具組立要素の２つの隣り合ったリブの対応する間隔よりも大きいことを特徴とする、玩具組立セット。
【請求項６】
請求項４に記載の玩具組立セットであって、前記第２の種類の玩具組立要素及び前記第３の種類の玩具組立要素の前記回転ブシュが、管として構成されることを特徴とする、玩具組立セット。
【請求項７】
請求項４に記載の玩具組立セットであって、前記第１の種類の玩具組立要素の前記回転シャフトが、管として構成されることを特徴とする、玩具組立セット。
【請求項８】
請求項１から７のいずれかの一項以上に記載の玩具組立セットであって、前記玩具組立要素のそれぞれが、前記回転軸に直角に配置される略平面を有すること、及び前記第１の種類の玩具組立要素の前記平面が、前記第２の玩具組立要素又は前記第３の玩具組立要素が前記回転シャフト及び前記回転ブシュにより相互接続される場合、前記２つの玩具組立要素の前記平面に当接することを特徴とする、玩具組立セット。
【請求項９】
請求項８に記載の玩具組立セットであって、前記回転シャフトが、前記第１の種類の玩具組立要素の前記表面から外側に向かって延在することを特徴とする、玩具組立セット。
【請求項１０】
請求項２に記載の玩具組立要素であって、前記第１の種類の組立要素の前記リブが、前記回転ブシュの前記内側の周囲に連続して延在することを特徴とする、玩具組立要素。
【発明の詳細な説明】
【技術分野】
【０００１】
本発明は、回転軸に沿って配置された回転シャフトが配置された少なくとも１つの第１の種類の組立要素を備える玩具組立セットであって、この玩具組立セットは、回転ブシュが設けられた少なくとも１つの第２の種類の組立要素を備え、回転ブシュは、２つの組立要素が回転軸の回りに互いに回転できるように、第１の組立要素の回転シャフトを収納して、回転シャフトと相互接続するように構成され、回転シャフト及び回転ブシュのそれぞれにおいて、相補的結合手段が、スナップ接続を形成し、スナップ接続が回転軸に沿った所与の力の影響により作動されずには、回転軸に沿って互いと相互接続できず、又は互いから分離できないように、回転シャフトと回転ブシュとを相互接続するように構成される、玩具組立セットに関する。
【背景技術】
【０００２】
［現状技術］
今日、上述した種類の玩具組立セットが様々な実施形態において知られており、２つの玩具組立要素を回転シャフト及び回転ブシュにより相互接続することができ、それにより、例えば、他の玩具組立要素又は玩具組立ブロックからなる構造物の組立中に使用される場合、広範囲の目的で使用することができるターンテーブルを形成することが可能である。
【０００３】
それらの従来技術による玩具組立要素の問題は、２つの組立要素の相互接続のために子供が与えることができる力により保持力が制限されることであり、それにより、それらの組立要素が組立要素の具体的な組立構造での使用に制限を課し、それらの玩具組立要素から組み立てられたターンテーブルに課すことができる力の程度を制限することである。
【０００４】
したがって、製造業者により取り付けられ、ターンテーブルを破壊せずには取り外すことができない、事前に組み立てられたターンテーブルを備える他の種類の玩具組立セットが知られている。
【発明の概要】
【発明が解決しようとする課題】
【０００５】
これに基づいて、本発明の目的は、比較的少数の個々の構成要素により、より広範囲の異なる構造物を組み立て可能な、上述した種類の玩具組立セットを提供することである。
【課題を解決するための手段】
【０００６】
これは、玩具組立要素が、少なくとも１つの第３の種類の組立要素を備え、上記組立要素が回転シャフト又は回転ブシュを備え、回転シャフト又は回転ブシュが、スナップ接続を形成して、第３の種類の組立要素を第２の種類の組立要素又は第１の種類の組立要素の回転ブシュ又は回転シャフトにそれぞれ相互接続するそれぞれの相補的結合手段を有し、第３の種類の組立要素の相補的結合手段が、第３の組立要素を第１の種類の組立要素又は第２の種類の組立要素のそれぞれに取り付けるために必要な力の影響が、第１の種類の組立要素を第２の種類の組立要素に相互接続するために必要な力よりも小さいように構成されるという点で達成される。
【０００７】
したがって、そうした単に３つの別個の玩具組立要素の使用により、比較的大きな保持力を有するターンテーブル又はより小さな保持力を有する対応するターンテーブルを任意選択的に組み立てるオプションを含む上記玩具組立セットが可能であり、例えば大人のみがターンテーブルを取り付け可能な構造物及び小さな子供が容易に取り付け可能な他の構造物を組み立てることが可能である。
【０００８】
それにより得られる別の利点は、例えば、玩具組立要素をプラスチックから成形する場合、必要とされる異なる型穴は３つのみであり、その一方で、従来技術による技法では、少なくとも４つの異なる型穴を有する金型が使用されることである。
【０００９】
本発明によれば、例えば、第４の種類の玩具組立要素が存在することができるという２つよりも多くの異なる相互接続オプションを有することが更に可能であり、第４の種類の玩具組立要素は、別の玩具組立要素に相互接続された場合、約３つの保持力レベル、すなわち、ターンテーブルが、スナップ接続の相互接続に必要な力を克服するために、工具による組み立てを必要とする第１のレベル、大人が通常、手でターンテーブルを組み立てるのに十分な力を有する第２のレベル、及び、例えば、小さな子供が手でターンテーブルを組み立てるのに十分な力を有する第３のレベルをもたらすことが可能であるということで、スナップ接続に更に低減した保持力を提供する。
【００１０】
本発明の好ましい一実施の形態によれば、該玩具組立セットの第３の種類の組立要素と第１の組立要素又は第２の組立要素との間のスナップ接続を相互接続するために必要な力が、第１の種類の組立要素と第２の種類の組立要素との間でスナップ接続を相互接続するために必要な力の９０％未満、好ましくは８０％未満である。
【００１１】
具体的な一実施の形態によれば、第１の種類の玩具組立要素及び第２の種類の玩具組立要素の相補的結合手段が、第１の種類の玩具組立要素の回転シャフトの外側に、回転シャフトの全周にわたって延在する溝を備え、１つ又は複数のリブが、２つの組立要素がスナップ接続により相互接続された場合、該リブのそれぞれが溝に係合するように回転ブシュの内側に配置される。
【００１２】
これに関して、第３の種類の玩具組立要素の相補的結合手段が、第２の種類の玩具組立要素の回転ブシュに本質的に対応する回転ブシュを備え、第３の種類の玩具組立要素の相補的結合手段が、個々の各リブが第２の種類の玩具組立要素の個々の各リブよりも小さな高さ又は幅を有するように、回転ブシュの内側に配置される少なくとも１つのリブも備えるという点で、低減した結合力が達成される。
【００１３】
しかし、これは、第２の玩具組立要素及び第３の玩具組立要素が、同数の２つ以上のリブを備えることにより、及び第３の玩具組立要素の２つの隣り合ったリブの間隔が、第２の玩具組立要素の２つの隣り合ったリブの対応する間隔よりも大きいという点で、特に有利に達成される。
【００１４】
第２の種類の玩具組立要素及び第３の種類の玩具組立要素の回転ブシュ又は第１の種類の玩具組立要素の回転シャフトが、管として構成される場合、スナップ接続の必要な弾性を達成することができる。
【００１５】
本発明は、回転軸に対して直角に配置された略平面をそれぞれ有する玩具組立要素に関連して、かつ第２の種類の玩具組立要素又は第３の種類の玩具組立要素が回転シャフト及び回転ブシュにより相互接続される場合、第１の種類の玩具組立要素の平面がそれらの２つの玩具組立要素の平面に当接するという点で、特に有利である。それにより、２つの玩具組立要素を捻って分離することが難しく、共通回転軸に沿って２つの玩具組立要素を引っ張って離すには、より強い程度が必要である。
【００１６】
これに関して、回転シャフトが第１の種類の玩具組立要素の表面から外側に向かって延在する場合が更に有利である。
【図面の簡単な説明】
【００１７】
【図１】上から斜めに見た本発明による組立要素のセットを示す斜視図である。
【発明を実施するための形態】
【００１８】
したがって、図１は４つの異なる組立要素１、５、６、７を示し、第１の組立要素１は、平面２を有するボックス型本体部材を備え、平面２から、回転シャフト３が円筒型管の形態で延在し、回転シャフト３の外側には、回転シャフト３の外側の全周を途切れずに延在する溝４が設けられる。
【００１９】
さらに、図１は３つの他の組立要素５、６、７を示し、これらはすべてボックス型本体部材を有し、合計で４つの結合スタッド８が各部材に配置され、結合スタッド８は、それらの組立要素を、それ自体既知の玩具組立セット内の他の組立要素（図示せず）と相互接続できるようにする形状を有する。
【００２０】
さらに、他の組立要素５、６、７のそれぞれには回転ブシュ９、１０、１１が設けられ、回転ブシュ９、１０、１１は、第１の組立要素１の回転シャフト３をそれらの回転ブシュ９、１０、１１の任意の１つに導入することができ、それに続き、全体としてユニットがターンテーブルを形成し、第１の組立要素１が、第１の部品が相互接続された第２の組立要素９、１０、１１に対する回転軸の回りに回転可能であるように構成される。
【００２１】
他の組立要素９、１０、１１を第１の組立要素１に相互接続された状態で固定するために、他の組立要素５、６、７の回転ブシュ９、１０、１１のそれぞれには、回転ブシュ９、１０、１１の内側の周囲に延在する少なくとも１つのリブ１２、１３、１４が設けられている。リブ１２、１３、１４は、スナップ機能が形成される程度まで１つの特定の力がかかる場合のみ、第１の組立要素１の回転シャフト３を回転ブシュ９、１０、１１のそれぞれに押し込むことができるように構成される。
【００２２】
明らかになるように、他の組立要素うちの１つの組立要素５のリブ１４は、回転ブシュ１１の内側の周囲に途切れなく延在する連続リブとして構成され、その一方で、各組立要素６及び７の他の回転ブシュ９及び１０のリブ１２及び１３のそれぞれが、間隔を置いて互いに連続して着座する４つの個々のリブ１２及び１３として構成されるとともに、組み合わせられて、組立要素５のリブ１４と同じように、回転ブシュ９及び１０の内側の周囲に延在し、同じ機能を有する、すなわち、第１の組立要素１と他の組立要素５、６、７のうちの１つとの間にスナップ接続を提供する中断リブを形成するように構成されることが明らかになろう。
【００２３】
さらに、２つの他の組立要素のうちの一方の組立要素７の個々のリブ１２の間隔が、２つの他の組立要素のうちの他方の組立要素６の個々のリブ１３の対応する間隔よりも大きいことが明らかになろう。
【００２４】
それにより、第１の組立要素１と他の組立要素５、６、７のうちの１つとの相互接続により、３つの異なるターンテーブルを組立するオプションが提供され、そのオプションは、第２の部品５の連続リブ１４が最大の力の影響を必要とし、第２の部品７のリブ１２が最小の力を必要とし、リブ１２の間隔が第２の組立要素６のリブ１３の間隔よりも大きいという点で、回転シャフト３を回転ブシュ９、１０、１１のうちの１つに押し込むために必要な力の大きさがそれぞれ異なるリブ１２、１３、１４の異なる構成により達成される。
【００２５】
当業者には、例えば、組立要素１、５、６、７のボックス型本体部材が、例えば矩形、円形等の示される形状とは別の形状を有することができるため、この基本原理を図に示される実施形態に対して変更可能なことが明らかであろう。結合スタッド８も、組立要素が使用を意図される組立システムに応じて、個数及び形状を変更可能である。
【００２６】
これに関して、「玩具組立セット」という定義を使用して、互換性を有し、したがって、本発明による組立要素と相互接続可能な複数の組立要素を含む組立システムを説明している。したがって、組立システムは、それぞれが別個のパッケージに包装され得る１つ又は複数の別個の組立セットからなることができる。
【図１】
2013544556.tif 000003
【国際調査報告】
2013544556.tif 000004
2013544556.tif 000005
2013544556.tif 000006